(57)【要約】  本開示は、手順が、serving PLMNの有効な加入者情報を持たないUEに緊急サービスをサポートを提供することに関する。本開示は、より具体的には、EPCおよび5GCNの両方に接続されたE-UTRAセルで制限されたサービス状態にあるUEに対して、IMS緊急呼またはeCallサポートを提供する。【選択図】図１
2021510046.tif 000002
【特許請求の範囲】
【請求項１】
EPC(Evolved Packet Core)及び5GC（5G Core）の両方に接続されるeNodeBによって制御されるセルにおいてブロードキャストされるsystem information block type 1メッセージを受信し、
前記system information block type 1メッセージは、
前記セルが制限されたサービス状態（limited service state）におけるユーザ装置のためのEPCを介したIMS（IP Multimedia Subsystem）緊急サービスをサポートするかどうかを示すims-EmergencySupport information、及び、
前記セルが制限されたサービス状態におけるユーザ装置のための5GCを介したIMS緊急サービスをサポートするかどうかを示すims-EmergencySupport5GC information、の少なくとも一つを含み、
前記ims-EmergencySupport informationがsystem information block type 1メッセージに存在するか否か、及び、
前記ims-EmergencySupport5GC informationがsystem information block type 1メッセージに存在するか否か、
の両方に基づいて、前記セルが前記EPC及び前記5GCの少なくとも一つを介してIMS緊急サービスをサポートすることを決定し、
前記セルが前記EPCを介したIMS緊急サービスをサポートし、前記セルが前記5GCを介したIMS緊急サービスをサポートしない場合、前記EPCに対するIMS緊急サービスを開始し、
前記セルが前記5GCを介したIMS緊急サービスをサポートし、前記セルが前記EPCを介したIMS緊急サービスをサポートしない場合、前記5GCに対するIMS緊急サービスを開始し、もしくは、
前記セルが前記EPC及び前記5GCを介したIMS緊急サービスをサポートする場合、前記EPCまたは前記5GCのいずれかに対するIMS緊急サービスを開始する、ユーザ装置のための方法。
【請求項２】
前記セルが前記EPCを介したIMS緊急サービスをサポートし、前記セルが前記5GCを介したIMS緊急サービスをサポートしない場合、前記EUTRANノードが前記EPC及び前記5GCに接続されたとしても、前記EPCに対するIMS緊急サービスを開始し、または、
前記セルが前記5GCを介したIMS緊急サービスをサポートし、前記セルが前記EPCを介したIMS緊急サービスをサポートしない場合、前記EUTRANノードが前記EPC及び前記5GCに接続されたとしても、前記5GCに対するIMS緊急サービスを開始する、請求項１に記載の方法。
【請求項３】
前記セルが前記EPCを介したIMS緊急サービスをサポートし、前記セルが前記5GCを介したIMS緊急サービスをサポートしない場合、前記ユーザ装置は、5GCに対するIMS緊急サービスを開始せず、
前記セルが前記5GCを介したIMS緊急サービスをサポートし、前記セルが前記EPCを介したIMS緊急サービスをサポートしない場合、前記ユーザ装置は、EPCに対するIMS緊急サービスを開始しない、請求項１または２に記載の方法。
【請求項４】
トランシーバとコントローラとを備えるユーザ装置であって、
前記コントローラは、
EPC(Evolved Packet Core)及び5GC（5G Core）の両方に接続されるeNodeBによって制御されるセルにおいてブロードキャストされるsystem information block type 1メッセージを受信し、
前記system information block type 1メッセージは、
前記セルが制限されたサービス状態におけるユーザ装置のためのEPCを介したIMS（IP Multimedia Subsystem）緊急サービスをサポートするかどうかを示すims-EmergencySupport information、及び、
前記セルが制限されたサービス状態におけるユーザ装置のための5GCを介したIMS緊急サービスをサポートするかどうかを示すims-EmergencySupport5GC information、の少なくとも一つを含み、
前記ims-EmergencySupport informationがsystem information block type 1メッセージに存在するか否か、及び、
前記ims-EmergencySupport5GC informationがsystem information block type 1メッセージに存在するか否か、
の両方に基づいて、前記セルが前記EPC及び前記5GCの少なくとも一つを介してIMS緊急サービスをサポートすることを決定し、
前記セルが前記EPCを介したIMS緊急サービスをサポートし、前記セルが前記5GCを介したIMS緊急サービスをサポートしない場合、前記EPCに対するIMS緊急サービスを開始し、
前記セルが前記5GCを介したIMS緊急サービスをサポートし、前記セルが前記EPCを介したIMS緊急サービスをサポートしない場合、前記5GCに対するIMS緊急サービスを開始し、もしくは、
前記セルが前記EPC及び前記5GCを介したIMS緊急サービスをサポートする場合、前記EPCまたは前記5GCのいずれかに対するIMS緊急サービスを開始するように構成される、ユーザ装置。
【請求項５】
前記コントローラはさらに、
前記セルが前記EPCを介したIMS緊急サービスをサポートし、前記セルが前記5GCを介したIMS緊急サービスをサポートしない場合、前記EUTRANノードが前記EPC及び前記5GCに接続されたとしても、前記EPCに対するIMS緊急サービスを開始し、または、
前記セルが前記5GCを介したIMS緊急サービスをサポートし、前記セルが前記EPCを介したIMS緊急サービスをサポートしない場合、前記EUTRANノードが前記EPC及び前記5GCに接続されたとしても、前記5GCに対するIMS緊急サービスを開始するように構成される、請求項４に記載のユーザ装置。
【請求項６】
前記セルが前記EPCを介したIMS緊急サービスをサポートし、前記セルが前記5GCを介したIMS緊急サービスをサポートしない場合、前記ユーザ装置は、5GCに対するIMS緊急サービスを開始せず、
前記セルが前記5GCを介したIMS緊急サービスをサポートし、前記セルが前記EPCを介したIMS緊急サービスをサポートしない場合、前記ユーザ装置は、EPCに対するIMS緊急サービスを開始しない、請求項４または５に記載のユーザ装置。
【発明の詳細な説明】
【技術分野】
【０００１】
本開示は、serving PLMNに対する有効な加入者情報を持たないUEに対して緊急サービスを提供するための手順に関する。
【背景技術】
【０００２】
本開示は、基地局のセルにキャンプオンしているUEへ基地局からブロードキャストされるシステム情報に関する。システム情報は、コアネットワークによって提供されるネットワークケーパビリティ（network capability）を含んでもよい。 
一般に、基地局と基地局が接続するコアネットワークのタイプとの間には一対一の関係がある。しかしながら、図1に示されているように、非特許文献1 (TS 23.501 V 15.0.0)は、5Gシステムアーキテクチャ図5.17.1.1-1を示しており、E-UTRANは、EPCと5G CN (コアネットワーク)の両方に同時に接続することができる。 
【０００３】
本開示は、図1に示されるようなアーキテクチャにおいて検出された問題を説明し、特定された問題に対する解決策を提供する。
【先行技術文献】
【非特許文献】
【０００４】
NPL 1: 3GPP TS 23.501 V 15.0.0
【発明の概要】
【発明が解決しようとする課題】
【０００５】
基地局からブロードキャストされるシステム情報には、コアネットワークケーパビリティに関するものもある。このシステム情報は、ブロードキャストされた情報が所望のサービスが利用可能であることを示す場合にUEが所望のサービスを開始する際に、UEによって参照される。 
【０００６】
図1によると、E-UTRANはEPCと5G CNの両方に接続でき、各コアネットワークが提供する利用可能なネットワークサービスの数は制限されてもよい。例えば、EPCによって提供されるネットワークサービスは、5G CNによって提供されるものとは異なってもよい。
【０００７】
この状況では、基地局からブロードキャストされるシステム情報はどのコアネットワークがそのサービスを提供するか、または両方のコアネットワークがそのサービスを提供するかを示さないので、UEが所望のサービスを開始するとき、UEは十分な情報を得られない可能性がある。
このようにシステム情報があいまいであり、UEは、サービスを受けるために誤ったコアネットワークへアタッチする可能性があるため、所望のサービスを受けることができない可能性がある。
本開示では、少なくとも3つの問題事例に焦点を当てている。以下に3つのケースを示す。 
【０００８】
問題事例1:
UEは、EPCおよび5GCNに接続されたセルが、制限状態（limited state）におけるEPCまたは5GCN、あるいはその両方を介したIMS緊急呼（emergency call）をサポートしているかどうかを判定できない。 
【０００９】
制限されたサービス状態（Limited Service State）のUEは、セルがNG-RANを介した緊急サービスをサポートしていることを、ASにおけるブロードキャストインジケーター (例:システム情報)から決定する。E-UTRANセルは、5GCとEPCの両方に接続でき、EPC、もしくは5GC、あるいはEPCと5GCの両方を介して、制限されたサービス状態のUEのために緊急サービスをサポートできる。E-UTRANは、セルにおける緊急サービスのサポートを示すための１ビットだけをブロードキャストする。このビットは、セルで緊急サービスがサポートされているかどうかを示すことができるが、緊急サービスがEPCと5GCのどちらでサポートされているかを示すことができない。その結果、UEは、EPCが緊急サービスをサポートしているか、5GCが緊急サービスをサポートしているかを判定できない。 
【００１０】
問題事例2:
UEは、EPC及び5GCに接続されたE-UTRANのセルが、EPCもしくは5GCあるいは両方を介したeCallをサポートしているか否かを判定することができない。 
【００１１】
通常のサービス状態（normal service state）のUEは、E-UTRANセルが、IMSを介したeCallサポートのためのアクセスストラタム（access stratum）ブロードキャストインジケーター（例、システム情報）を介して、また、制限されたサービス状態においては、eCallのためのアクセスストラタムブロードキャストインジケーター及びIMS緊急サービスのためのブロードキャストインジケーターを介して、IMSを介したeCallをサポートしていることを決定する。EPCと5GCの両方に接続されるE-UTRANは、EPC及び５GCの両方でIMSを介したeCallがサポートされているかどうかを示すただ一つのインジケーターをブロードキャストする。制限されたサービス状態のUEは、通常のサービス状態のUEと同様に、IMSを介したeCallがEPCと5GCのどちらでサポートされているか、あるいはその両方でサポートされているかを判定できない。したがって、セルが、IMSを介したeCallのための一つのインジケーターのみをブロードキャストする場合、UEがEPC又は５GCのどちらへIMSを介したeCallを実行すべきかのUE behaviourが決定されない。
【００１２】
問題事例3:
UEは、EPCと5GCの両方に接続されるE-UTRANセルに対して、EPCまたは5GCのいずれか、またはEPCと5GCの両方に対してeDRXが許可されるかどうかを判定できない。
【００１３】
現在、E-UTRANセルは、セルにおいてeDRXがサポートされているかどうかを示す１つのインジケーターをブロードキャストする。しかし、E-UTRANがEPCと5GCの双方に接続される場合、E-UTRANを介してEPCに登録されているUEもしくはE-UTRANを介して5GCに登録されているUEのどちらにeDRXが許可されているのか不明である。
【課題を解決するための手段】
【００１４】
本開示の第１の態様に係るユーザ装置のための方法は、EPC(Evolved Packet Core)及び5GC（5G Core）の両方に接続されるeNodeBによって制御されるセルにおいてブロードキャストされるsystem information block type 1メッセージを受信し、前記system information block type 1メッセージは、前記セルが制限されたサービス状態におけるユーザ装置のためのEPCを介したIMS（IP Multimedia Subsystem）緊急サービスをサポートするかどうかを示すims-EmergencySupport information、及び、前記セルが制限されたサービス状態におけるユーザ装置のための5GCを介したIMS緊急サービスをサポートするかどうかを示すims-EmergencySupport5GC information、の少なくとも一つを含み、前記ims-EmergencySupport informationがsystem information block type 1メッセージに存在するか否か、及び、前記ims-EmergencySupport5GC informationがsystem information block type 1メッセージに存在するか否か、の両方に基づいて、前記セルが前記EPC及び前記5GCの少なくとも一つ介してIMS緊急サービスをサポートすることを決定し、前記セルが前記EPCを介したIMS緊急サービスをサポートし、前記セルが前記5GCを介したIMS緊急サービスをサポートしない場合、前記EPCに対するIMS緊急サービスを開始し、前記セルが前記5GCを介したIMS緊急サービスをサポートし、前記セルが前記EPCを介したIMS緊急サービスをサポートしない場合、前記5GCに対するIMS緊急サービスを開始し、前記セルが前記EPC及び前記5GCを介したIMS緊急サービスをサポートする場合、前記EPCまたは前記5GCのいずれかに対するIMS緊急サービスを開始する。
【００１５】
本開示の第２の態様に係るユーザ装置は、トランシーバとコントローラとを備え前記コントローラは、EPC(Evolved Packet Core)及び5GC（5G Core）の両方に接続されるeNodeBによって制御されるセルにおいてブロードキャストされるsystem information block type 1メッセージを受信し、前記system information block type 1メッセージは、前記セルが制限されたサービス状態におけるユーザ装置のためのEPCを介したIMS（IP Multimedia Subsystem）緊急サービスをサポートするかどうかを示すims-EmergencySupport information、及び、前記セルが制限されたサービス状態におけるユーザ装置のための5GCを介したIMS緊急サービスをサポートするかどうかを示すims-EmergencySupport5GC information、の少なくとも一つを含み、前記ims-EmergencySupport informationがsystem information block type 1メッセージに存在するか否か、及び、ims-EmergencySupport5GC informationがsystem information block type 1メッセージに存在するか否か、の両方に基づいて、前記セルが前記EPC及び前記5GCの少なくとも一つ介してIMS緊急サービスをサポートすることを決定し、前記セルが前記EPCを介したIMS緊急サービスをサポートし、前記セルが前記5GCを介したIMS緊急サービスをサポートしない場合、前記EPCに対するIMS緊急サービスを開始し、前記セルが前記5GCを介したIMS緊急サービスをサポートし、前記セルが前記EPCを介したIMS緊急サービスをサポートしない場合、前記5GCに対するIMS緊急サービスを開始し、前記セルが前記EPC及び前記5GCを介したIMS緊急サービスをサポートする場合、前記EPCまたは前記5GCのいずれかに対するIMS緊急サービスを開始するように構成される。
【図面の簡単な説明】
【００１６】
【図１】図1は、5Gシステムアーキテクチャを示す。
【図２Ａ】図2Aは、E-UTRANのセルにおける制限されたサービス状態のUEに対して緊急サービスをサポートするための手順を示す。
【図２Ｂ】図2Bは、E-UTRANのセルにおける制限されたサービス状態のUEに対して緊急サービスをサポートするための手順を示す。
【図３Ａ】図3Aは、E-UTRANのセルにおける通常のサービス状態または制限されたサービス状態のUEに対してIMSを介したeCallをサポートするための手順を示す。
【図３Ｂ】図3Bは、E-UTRANのセルにおける通常のサービス状態または制限されたサービス状態のUEに対してIMSを介したeCallをサポートするための手順を示す。
【図４】図4は、UEのブロック図を示す。
【図５】図5は、(R) ANノードのブロック図を示す。
【図６】図6は、AMFのブロック図を示す。
【図７】図7は、MMEのブロック図を示す。
【発明を実施するための形態】
【００１７】
本文書の目的上、TR 21.905及び以下に示す略語を適用する。本文書で定義されている略語は、 TR 21.905に同じ略語がある場合は、その定義に優先する。
5GC            5G Core Network
5GS            5G System 
5G-AN        5G Access Network
5G-GUTI        5G Globally Unique Temporary Identifier
5G-S-TMSI    5G S-Temporary Mobile Subscription Identifier
5QI            5G QoS Identifier
AF            Application Function
AMF            Access and Mobility Management Function
AN            Access Node
AS            Access Stratum
AUSF          Authentication Server Function
CP            Control Plane
DL            Downlink
DN            Data Network
DNAI          DN Access Identifier
DNN            Data Network Name
EDT            Early Data Transmission
EPS            Evolved Packet System
EPC            Evolved Packet Core
FQDN          Fully Qualified Domain Name
GFBR          Guaranteed Flow Bit Rate
GMLC          Gateway Mobile Location Centre
GPSI          Generic Public Subscription Identifier
GUAMI        Globally Unique AMF Identifier
HR            Home Routed (roaming)
LADN          Local Area Data Network
LBO            Local Break Out (roaming)
LMF            Location Management Function
LRF            Location Retrieval Function
MAC            Medium Access Control
MFBR          Maximum Flow Bit Rate
MICO          Mobile Initiated Connection Only
MME            Mobility Management Entity
N3IWF        Non-3GPP InterWorking Function
NAI            Network Access Identifier
NAS            Non-Access Stratum
NEF            Network Exposure Function
NF            Network Function
NG-RAN        Next Generation Radio Access Network
NR            New Radio
NRF            Network Repository Function
NSI ID        Network Slice Instance Identifier
NSSAI        Network Slice Selection Assistance Information
NSSF          Network Slice Selection Function
NSSP          Network Slice Selection Policy
PCF            Policy Control Function
PEI            Permanent Equipment Identifier
PER            Packet Error Rate
PFD            Packet Flow Description 
PPD            Paging Policy Differentiation
PPI            Paging Policy Indicator
PSA            PDU Session Anchor
QFI            QoS Flow Identifier
QoE            Quality of Experience
(R)AN        (Radio) Access Network
RLC            Radio Link Control
RQA            Reflective QoS Attribute
RQI            Reflective QoS Indication        
RRC            Radio Resource Control
SA NR        Standalone New Radio
SBA            Service Based Architecture
SBI            Service Based Interface
SD            Slice Differentiator
SDAP          Service Data Adaptation Protocol
SEAF          Security Anchor Functionality
SEPP          Security Edge Protection Proxy
SMF            Session Management Function
S-NSSAI        Single Network Slice Selection Assistance Information
SSC            Session and Service Continuity
SST            Slice/Service Type
SUCI          Subscription Concealed Identifier
SUPI          Subscription Permanent Identifier
UDSF          Unstructured Data Storage Function
UL            Uplink
UL CL        Uplink Classifier
UPF            User Plane Function
UDR            Unified Data Repository
URSP          UE Route Selection Policy
E-UTRAN:E-UTRANは5GCもしくはEPC、またはEPCと5GCの両方に接続可能で、3GPP TS 38.300で定義されているng-eNBである。
通常のサービス状態（Normal Service State）:UEは通常のサービス（normal service）を受けるためにネットワーク(5GSまたはEPS)に登録されている。
【００１８】
実施の形態1(問題事例1の解決策1)
E-UTRANは、EPCが緊急サービスをサポートしていることを示すインジケーターと、5GCが緊急サービスをサポートしていることを示すインジケーターとの2つの別々のインジケーターをそれぞれブロードキャストする、つまり、E-UTRANは、EPCによる緊急サービスのサポートを示すインジケーターをブロードキャストし、5GCによる緊急サービスのサポートを示す他のインジケーターをブロードキャストする。
【００１９】
解決策の要点は以下の通りである。
【００２０】
E-UTRANはEPCと5GCの両方に接続されている。E-UTRANは、EPCによる緊急サービスのサポートを示すインジケーター（例;EPC emergency support indicator）と、5GCによる緊急サービスのサポートを示す他のインジケーター（例;5GC emergency support indicator）を含むSystem Information block Type Xをブロードキャストする。System Information block Type Xは、新しいSystem Information Block Typeであってもよく、既存のSystem Information Block Type (例;System Information Block Type 1)であってもよい。 
【００２１】
UEは、System Information block Type Xを読み出す。すなわち、UEは、System Information block Type Xを受信し、System Information block Type Xの内容をデコードする。
【００２２】
あるインジケーターが、5GCが緊急サービスをサポートしていないことを示し、他のインジケーターが、EPCが緊急サービスをサポートしていることを示す場合、UEはEPC NAS手順を開始することによって、EPCに対して緊急サービスを開始する。EPC NAS手順には、NAS Emergency ATTACH手順、NAS ATTACH手順、NAS Service Request手順が含まれる。 
【００２３】
あるインジケーターが、EPCが緊急サービスをサポートしていないことを示し、他のインジケーターが、5GCが緊急サービスをサポートしていることを示す場合、UEは5GC NAS手順を開始することによって、5GCに対して緊急サービスを開始する。5GC NAS手順には、NAS Emergency registration手順、NAS registration手順、NAS Service Request手順が含まれる。 
【００２４】
二つのインジケーターが、5GCとEPCの両方で緊急サービスをサポートしていることを示している場合、UEは緊急サービスをいずれかのコアネットワーク（5GC又はEPC）に対しても開始できる。第１のコアネットワークタイプ（例:EPC）に対するUE緊急呼が失敗した場合、UEは第２のコアネットワークタイプ（例:5GC）に対する緊急呼を開始する。コアネットワークタイプはEPCまたは5GCである。あるシナリオでは、あるコアネットワークタイプへの緊急サービスが失敗すると、UEは第２のコアネットワークにおける緊急呼を開始する前に、同じコアネットワークタイプに対して所定の回数緊急サービスを試行する。
【００２５】
二つのインジケーターが、5GCとEPCの両方で緊急サービスをサポートしていることを示している場合、UEは緊急サービスをいずれのコアネットワーク(5GCまたはEPC)に対しても開始できる。UEはコアネットワーク(5GCまたはEPC)を選択し、ブロードキャストされる他のシステム情報(例:アクセス制限関連情報、サービス固有のアクセス禁止情報など)を参照して緊急呼を開始する。
【００２６】
解決策1のすべてのケースで、EPC用緊急サービスはEPC用の緊急ベアラサービスである。
【００２７】
IMS緊急呼は、以下のすべてのシナリオにおけるIMS緊急サービスの一つのタイプである。E-UTRANが、ブロードキャスト情報を通じて、セルが5GCまたはEPCによるIMS緊急サービスをサポートしていることを示す場合、5GCまたはEPCは少なくとも一つのIMS緊急サービス(例:IMS緊急音声呼)をサポートする。
【００２８】
図2Aおよび2Bのステップの詳細な説明を以下に示す。
【００２９】
1. EPC及び5GCの両方に接続されたE-UTRANは、system information block type X（Xは整数）において、EPCによるIMS緊急サービスのサポートを示すためのあるインジケーター(例: EPC emergency services support indicator)と、5GCによるIMS緊急サービスのサポートを示すための他のインジケータ(例: 5GC emergency services support indicator)とをブロードキャストする。一例では、system information block type Xは、System Information Block Type 1であってもよい。
【００３０】
EPCがIMS緊急サービスをサポートしている場合、E-UTRANはEPCによるIMS緊急サービスのサポートに関連するインジケーターを含むsystem information block type Xをブロードキャストする。インジケーターはEPCによるIMS緊急サービスがサポートされていることを示す。あるシナリオでは、インジケーターの値を「TRUE」に設定する。一例として、EPCによるIMS緊急サービスのサポートに関連するインジケーターは、SystemInformationBlockType1のims-EmergencySupport-r9である。
【００３１】
EPCがIMS緊急サービスをサポートしていない場合、E-UTRANはEPCによるIMS緊急サービスのサポートに関連するインジケーターを送信しない。他のシナリオにおいて、EPCが緊急サービスをサポートしていない場合、E-UTRANは"emergency services not supported"が設定されたインジケーターを送信する(一例では、インジケーターは"False"に設定される)。
【００３２】
5GCがIMS緊急サービスをサポートしている場合、E-UTRANは、5GCによるIMS緊急サービスのサポートに関連するインジケーターを含むSystem Information Block Type Xをブロードキャストする。インジケーターは5GCによる緊急サービスがサポートされていることを示す。あるシナリオでは、インジケーターの値を「TRUE」に設定する。 
【００３３】
一例では、5GCが緊急サービスをサポートしていない場合、E-UTRANは、5GCによる緊急サービスのサポートに関連するインジケーターを送信しない。他のシナリオでは、5GCが緊急サービスをサポートしていない場合、E-UTRANは、"emergency services not supported"が設定されたインジケーターを送信する(一例では、インジケーターは"False"に設定される)。
【００３４】
System Information block Type Xは、新しいSystem Information Block Typeでも既存のSystem Information Block Type(例:System Information Block Type 1)でもよい。 
【００３５】
2. UEは、System Information Block Type Xを読み出す。すなわち、UEは、System Information Block Type Xを受信し、System Information Block Type Xの内容をデコードする。
【００３６】
3-1. 次の条件が満たされる場合、UEは、E-UTRANがEPCによるIMS緊急サービスをサポートしており、5GCによるIMS緊急サービスをサポートしていないと判定する。
【００３７】
(1) 5GCによるIMS緊急サービスのサポートに関連するインジケーターが、5GCがIMS緊急サービスをサポートしていないことを示す、または、5GCによるIMS緊急サービスのサポートに関連するインジケーターが、System Information Block Type Xに存在しないこと、かつ、
(2) EPCによるIMS緊急サービスのサポートに関する他のインジケーターが、EPCによるIMS緊急サービスがサポートされていることを示している。 
【００３８】
上位レイヤ (例:NASレイヤ)から緊急サービスを開始するための要求を受信したUEは、EPS緊急attachに設定されたEPS attach typeを含むATTACH REQUESTメッセージを送信することによって、EPCへのIMS緊急サービスを開始する(3-1a)。緊急attach手順を完了し、緊急サービス用のPDN connectionを確立した後、UEは緊急サービス(例:IMS緊急呼)を開始する。上記の場合、UEはE-UTRANセルで5GCに対するIMS緊急サービスを開始しない。 
【００３９】
3-2. UEは、次の条件が満たされる場合、E-UTRANが5GCによるIMS緊急サービスをサポートし、EPCによるIMS緊急サービスをサポートしていないと判定する。
【００４０】
(1) EPCによるIMS緊急サービスのサポートに関連するインジケーターが、EPCがIMS緊急サービスをサポートしていないこと、またはEPCによるIMS緊急サービスのサポートに関連するインジケーターがSystem Information Block Type Xに存在しないことを示していること、かつ、
(2) 5GCによるIMS緊急サービスのサポートに関連する他のインジケーターが、5GCによるIMS緊急サービスがサポートされていることを示している。 
【００４１】
上位レイヤ (例:NAS レイヤ)から緊急サービスを開始するための要求を受信したUEは、5GC緊急registrationに設定された5GS registration typeを含むRegistration Requestメッセージを送信することによって、5GSに対するIMS緊急サービスを開始する(3-2a)。緊急registration手順を完了し、緊急サービス用のPDU sessionを確立した後、UEは緊急サービス(例:IMS緊急呼)を開始する。上記の場合、UEはE-UTRANセルにおいてEPCに対するIMS緊急サービスを開始しない。
【００４２】
3-3. 以下の条件を満たす場合、UEは、E-UTRANセルが5GC及びEPCの両方によるIMS緊急サービスをサポートしていると判定する。
【００４３】
(1) EPCによるIMS緊急サービスのサポートに関連するインジケーターが、EPCがIMS緊急サービスをサポートしていることを示していること、かつ、
(2) 5GCによる緊急サービスのサポートに関連する他のインジケーターが、5GCがIMS緊急サービスをサポートしていることを示している。  
【００４４】
上記の場合、UEはNAS手順をEPCまたは5GCに対して開始して、E-UTRANセルにおける制限されたサービス状態でのIMS緊急サービスを受ける。このフロー(図2Aおよび2B)は、UEがEPCに対してNAS手順を開始する場合を示す。UEは上位レイヤ (例:NASレイヤ)から緊急サービスを開始するための要求を受信すると、EPS緊急attachに設定されたEPS attach typeを含むATTACH REQUESTメッセージを送信することによってEPCに対してIMS緊急サービスを開始する(3-3a)。EPCに対するattach手順が失敗すると、UEは他のコアネットワークタイプ（例:5GC）に対するregistration手順を開始しうる。 
3-4. 以下の条件を満たす場合、UEは、E-UTRANセルが5GC及びEPCの両方によるIMS緊急サービスをサポートしていると判定する。
【００４５】
(1) EPCによるIMS緊急サービスのサポートに関連するインジケーターが、EPCがIMS緊急サービスをサポートしていることを示していること、かつ、
(2) 5GCによるIMS緊急サービスのサポートに関連する他のインジケーターが、5GCがIMS緊急サービスをサポートしていることを示す。 
【００４６】
上記の場合、UEはNAS手順をEPCまたは5GCに対して開始して、E-UTRANセルにおける制限されたサービス状態でのIMS緊急サービスを受ける。このフロー(図2Aおよび2B)は、UEが5GCに対してNAS手順を開始する場合を示す。上位レイヤ(例:NASレイヤ)から緊急サービスを開始するための要求を受信すると、UEは、5GS緊急registrationに設定された5GS registration typeを含むRegistration Requestメッセージを送信することによって、5GCに対するIMS緊急サービスを開始する（3-4a）。5GCへのregistration手順が失敗した場合、UEは他のコアネットワークタイプ（例:EPC）へのattach手順を開始しうる。 
【００４７】
IMS緊急サービスのサポートをブロードキャストする方法はいくつかある。ステップ1のsystem information block Typeのいくつかの例を以下に示す。
【００４８】
例1:以下のようにE-UTRANは、EPCによる緊急サービスのサポートをブロードキャストし、5GCによる緊急サービスのサポートがないことをブロードキャストする。
1a. SystemInformationBlockType1-vxxx-IEs ::=            SEQUENCE {
ims-EmergencySupport-r9                      ENUMERATED {true}                          OPTIONAL,        -- Need OR
cellSelectionInfo-v920                        CellSelectionInfo-v920                      OPTIONAL,          -- Cond RSRQ
nonCriticalExtension              SystemInformationBlockType1-v1130-IEs  OPTIONAL
【００４９】
1b. SystemInformationBlockType1-vxxx-IEs ::=            SEQUENCE {
ims-EmergencySupport-r9                      ENUMERATED {true}                          OPTIONAL,        -- Need OR
ims-EmergencySupport-5GC-r15                          ENUMERATED {false}                            OPTIONAL,        -- Need OR
cellSelectionInfo-v920                        CellSelectionInfo-v920                      OPTIONAL,          -- Cond RSRQ
nonCriticalExtension              SystemInformationBlockType1-v1130-IEs  OPTIONAL
【００５０】
例2:以下のように、E-UTRANは、EPCによるIMS緊急サービスのサポートがなく、5GCによるIMS緊急サービスのサポートをブロードキャストする。
2a. SystemInformationBlockType1-vxxx-IEs ::=            SEQUENCE {
ims-EmergencySupport-5GC-r15            ENUMERATED {true}                            OPTIONAL,        -- Need OR
cellSelectionInfo-v920                        CellSelectionInfo-v920                      OPTIONAL,          -- Cond RSRQ
nonCriticalExtension              SystemInformationBlockType1-v1130-IEs  OPTIONAL
【００５１】
2b. SystemInformationBlockType1-v920-IEs ::=            SEQUENCE {
ims-EmergencySupport-r9                      ENUMERATED {false}                          OPTIONAL,        -- Need OR
ims-EmergencySupport-5GC-r15                          ENUMERATED {true}                            OPTIONAL,        -- Need OR
cellSelectionInfo-v920                        CellSelectionInfo-v920                      OPTIONAL,          -- Cond RSRQ
nonCriticalExtension              SystemInformationBlockType1-v1130-IEs  OPTIONAL
【００５２】
例3:以下のように、E-UTRANは、EPCによるIMS緊急サービスのサポートと、5GCによる緊急サービスのサポートをブロードキャストする。
3a. SystemInformationBlockType1-vxxx-IEs ::=            SEQUENCE {
ims-EmergencySupport-r9                      ENUMERATED {true}                          OPTIONAL,        -- Need OR
ims-EmergencySupport-5GC-r15                          ENUMERATED {true}                            OPTIONAL,        -- Need OR
cellSelectionInfo-v920                        CellSelectionInfo-v920                      OPTIONAL,          -- Cond RSRQ
nonCriticalExtension              SystemInformationBlockType1-v1130-IEs  OPTIONAL
【００５３】
実施の形態2(問題事例2の解決策2):
EUTRANは、EPCによるIMSを介したeCallのサポートを示すインジケーターと、5GCによるIMSを介したeCallのサポートを示すインジケーターとの2つの別々のインジケーターをそれぞれブロードキャストする。例えば、EUTRANは、EPCによるIMSを介したeCallのサポートを示すあるインジケーターと、5GCによるIMSを介したeCallのサポートを示す他のインジケーターをブロードキャストする。
【００５４】
E-UTRANは、EPCと5GCに接続される。E-UTRANセルは、EPCによる緊急サービスのサポートを示すためのあるインジケーター（例: EPC eCall over IMSsupport indicator）及び5GCによるIMSを介したeCallのサポートを示すための他のインジケーター（例: 5GC eCall over IMS support indicator）を含むSystem Information block Type Xをブロードキャストする。System Information block Type Xは、新しいSystem Information Block Typeでもよく、既存のSystem Information Block Type (例:System Information Block Type 1)であってもよい。
【００５５】
UEは、System Information block Type Xを読み出す。すなわち、UEは、System Information block Type Xを受信し、System Information block Type Xの内容をデコードする。
【００５６】
あるインジケーターが、5GCがIMSを介したeCallをサポートしていないことを示し、他のインジケーターが、EPCがIMSを介したeCallをサポートしていることを示す場合、UEは、EPC NAS手順を開始することによってEPCに対するIMSを介したeCallを開始する。EPC NAS手順には、NAS Emergency ATTACH手順、NAS ATTACH手順、NAS Service Request手順が含まれる。
【００５７】
あるインジケーターが、EPCがIMSを介したeCallをサポートしていないことを示し、他のインジケーターが、5GCがIMSを介したeCallサポートしていることを示す場合、UEは、5GC NAS手順を開始することによって、5GCに対してIMSを介したeCallを開始する。5GC NAS手順には、NAS Emergency registration手順、NAS registration手順、NAS Service Request手順が含まれる。
【００５８】
二つのインジケーターが、5GCとEPCの両方がIMSを介したeCallをサポートしていることを示す場合、UEは対応するNAS手順を使用して、いずれのコアネットワーク(5GCまたはEPC)に対しても緊急サービスを開始できる。第１のコアネットワークタイプ（例:EPC）に対するIMSを介したUE eCallが失敗した場合、UEは第２のコアネットアークタイプ（例:5GC）に対する緊急呼を開始する。コアネットワークタイプはEPCまたは5GCである。あるシナリオでは、あるコアネットワークタイプに対するIMSを介したeCallが失敗すると、UEは、第２のコアネットワークにおけるIMSを介したeCallを開始する前に、同じコアネットワークタイプに対して所定の回数試行する。
【００５９】
二つのインジケーターが、5GCとEPCの両方でIMSを介したeCallをサポートしていることを示している場合、UEは緊急サービスをいずれのコアネットワーク（5GCまたはEPC）に対しても開始できる。UEはコアネットワーク(5GCまたはEPC)を選択し、ブロードキャストされている他のシステム情報(例:アクセス制限関連情報、サービス固有のアクセス禁止情報など)を参照してIMSを介したeCallを開始する。
【００６０】
図3Aおよび3B: E-UTRANのセルにおいて、通常のサービス状態または制限されたサービス状態にあるUEに対するIMSを介したeCallをサポートする手順。
【００６１】
図3Aおよび3Bのステップの詳細な説明を以下に示す。
【００６２】
1. EPCと5GCの両方に接続されたE-UTRANは、EPCによるIMSを介したeCallのサポートを示すためのあるインジケーター (例: EPC eCall over IMS support indicator)と、5GCによるIMSを介したeCallのサポートを示すための他のインジケーター（例: 5GC eCall over IMS support indicator）とを、system information block type X（Xは整数）においてブロードキャストする。一例では、system information block type Xは、System Information Block Type 1であってもよい。
【００６３】
EPCがIMSを介したeCallをサポートしている場合、E-UTRANはEPCによるIMSを介したeCallのサポートに関連するインジケーターを含むsystem information block type Xをブロードキャストする。インジケーターはEPCによるIMSを介したeCallがサポートされていることを示す。あるシナリオでは、インジケーターの値を「TRUE」に設定する。一例として、EPCによるIMSを介したeCallのサポートに関連するインジケーターは、SystemInformationBlockType1のims-EmergencySupport-r9である。
【００６４】
EPCがIMSを介したeCallをサポートしていない場合、E-UTRANはEPCによるIMSを介したeCallのサポートに関連するインジケーターを送信しない。他のシナリオでは、EPCがIMSを介したeCallをサポートしていない場合、E-UTRANは"eCall over IMS not supported"に設定されたインジケーターを送信する(一例では、インジケーターは"False"に設定される)。
【００６５】
5GCがIMSを介したeCallをサポートしている場合、E-UTRANは、5GCによるIMSを介したeCallのサポートに関連するインジケーターを含むSystem Information Block Type Xをブロードキャストする。インジケーターは、5GCによるIMSを介したeCallがサポートされていることを示す。あるシナリオでは、インジケーターの値を「TRUE」に設定する。 
【００６６】
5GCがIMSを介したeCallをサポートしていない場合、E-UTRANは5GCによるIMSを介したeCallのサポートに関連するインジケーターを送信しない。他のシナリオでは、5GCがIMSを介したeCallをサポートしていない場合、E-UTRANは、"eCall over IMS not supported"に設定されたインジケーターを送信する(一例では、インジケーターは"False"に設定される)。
【００６７】
System Information block Type Xは、新しいSystem Information Block Typeでも既存のSystem Information Block Type(例:System Information Block Type 1)でもよい。 
【００６８】
2. UEは、System Information Block Type Xを読み出す。すなわち、UEは、System Information Block Type Xを受信し、System Information Block Type Xの内容をデコードする。
【００６９】
3-1.次の条件が満たされる場合、UEは、E-UTRANセルが、EPCによるIMSを介したeCallをサポートし、5GCによるIMSを介したeCallをサポートしないと判定する。
【００７０】
(1) 5GCによるIMSを介したeCallのサポートに関連するインジケーターが、5GCがIMSを介したeCallをサポートしていないことを示し、または、5GCによるIMSを介したeCallのサポートに関連するインジケーターがSystem Information Block Type Xに存在しないことを示していること、かつ、
(2) EPCによるIMSを介したeCallのサポートに関する他のインジケーターが、EPCによるIMSを介したeCallがサポートされていることを示している。 
【００７１】
(3-1a) UEは、上位レイヤ（例:NASレイヤ）からIMSを介したeCallを開始するための要求を受信すると、UEが制限されたサービス状態であり、かつE-UTRANセルが制限されたサービス状態のUEに対する緊急ベアラサービスのサポートを示している場合、EPS緊急attachに設定されたEPS attach typeを含むATTACH REQUESTメッセージを送信することによって、EPCに対するIMSを介したeCallを開始する。 
【００７２】
(3-1b) UEは、上位レイヤからIMSを介したeCallを開始するための要求を受信すると、UEが通常のサービス状態である場合に、EPS attachに設定されたEPS attach typeを含むATTACH REQUESTメッセージを送信することによって、EPCに対するIMSを介したeCallを開始する。 
【００７３】
緊急attach手順またはEPS attach手順を完了し、IMSを介したeCall用のPDN connectionを確立した後、UEはEPCに対するIMSを介したeCallを開始する。上記の場合、UEはE-UTRANセルにおいて、5GCに対するIMSを介したeCallを開始しない。 
【００７４】
3-2. 次の条件を満たす場合、UEは、E-UTRANセルが5GCによるIMSを介したeCallをサポートし、EPCによるIMSを介したeCallをサポートしないと判定する:
【００７５】
(1) EPCによるIMSを介したeCallのサポートに関連するインジケーターが、EPCがIMSを介したeCallをサポートしていないこと、またはEPCによるIMSを介したeCallのサポートに関連するインジケーターがSystem Information Block Type Xに存在しないことを示していること、かつ、
(2) 5GCによるIMSを介したeCallのサポートに関連する他のインジケーターが、5GCによるIMSを介したeCallがサポートされていないことを示す。
【００７６】
(3-2a) IMSを介したeCallを開始するための要求を上位レイヤ(例:NASレイヤ)から受信すると、UEは5GS緊急registrationに設定された5GS registration typeを含むRegistration Requestメッセージを送信することによって5GCに対するIMSを介したeCallを開始し、E-UTRANセルは、制限されたサービス状態にあるUEに対する緊急ベアラサービスのサポートを示す。 
【００７７】
(3-2b) UEは、上位レイヤからIMSを介したeCallを開始するための要求を受信すると、UEが通常のサービス状態であれば、5GS attachに設定された5G attach typeを含むRegistration Requestメッセージを送信することによって、5GCに対するIMSを介したeCallを開始する。 
【００７８】
緊急registration手順または5GS registration手順が完了し、IMSを介したeCall用のPDU sessionを確立すると、UEはIMSを介したeCall(例:IMS緊急呼)を開始する。上記の場合、UEはE-UTRANセルでEPCに対するIMSを介したeCallを開始しない。
【００７９】
3-3. UEは、次の条件が満たされる場合、E-UTRANセルが5GC及びEPCの両方によるIMSを介したeCallをサポートすると判定する:
【００８０】
(1) EPCによるIMSを介したeCallのサポートに関連するインジケーターが、EPCがIMSを介したeCallをサポートしていることを示すこと、かつ、
(2) 5GCによるIMSを介したeCallのサポートに関連するインジケーターが、5GCがIMSを介したeCallをサポートしていることを示す。
【００８１】
(3-3a) UEがNAS手順をEPCまたは5GCに対して開始し、E-UTRANセルで制限されたサービス状態におけるIMSを介したeCallを受ける。この流れ(図3)は、UEがEPCに対してNAS手順を開始するケースを示す。EPCに対する緊急attach手順が失敗した場合、UEは緊急registration手順を他のコアネットワークタイプ(例:5GC)に対して開始しうる。 
【００８２】
(3-3b) UEがNAS手順をEPCまたは5GCに対して開始し、E-UTRANセルで通常のサービス状態におけるIMSを介したeCallを受ける。この流れ(図3)は、UEがEPCに対してNAS手順を開始するケースを示す。EPCに対するattach手順が失敗した場合、UEは5GS registration手順を他のコアネットワークタイプ(例:5GC)に対して開始しうる。 
【００８３】
3-4. UEは、次の条件が満たされる場合、E-UTRANセルが5GC及びEPCの両方によるIMSを介したeCallをサポートすると判定する:
【００８４】
(1) EPCによるIMSを介したeCallのサポートに関連するインジケーターが、EPCがIMSを介したeCallをサポートしていることを示すこと、かつ、
(2) 5GCによるIMSを介したeCallのサポートに関連するインジケーターが、5GCがIMSを介したeCallをサポートしていることを示す。
【００８５】
(3-4a) UEがNAS手順をEPCまたは5GCに対して開始し、E-UTRANセルで制限されたサービス状態におけるIMSを介したeCallを受ける。この流れ(図3)は、UEが5GCへのNAS手順を開始するケースを示す。5GCに対する緊急registration手順が失敗した場合、UEは他のコアネットワークタイプ(例:EPC)に対する緊急attach手順を開始しうる。 
【００８６】
(3-4b) UEは、NAS手順をEPCまたは5GCに対して開始し、E-UTRANセルで通常のサービス状態におけるIMSを介したeCallを受ける。この流れ(図3)は、UEが5GCに対してNAS手順を開始するケースを示す。5GCに対する5GS registration手順が失敗した場合、UEは他のコアネットワークタイプ（例:EPC）に対するattach手順を開始しうる。 
【００８７】
IMSを介したeCallのサポートをブロードキャストするには、いくつかの方法がある。ステップ1のsystem information block Typeのいくつかの例を次に示す。
【００８８】
例1: 5GCではなくEPCでeCallをサポートするE-UTRANは、EPCビットのIMSを介したeCallサポートのみをブロードキャストする。
SystemInformationBlockType1-v1430-IEs ::=SEQUENCE {
eCallOverIMS-Support-r14                    ENUMERATED {true}                          OPTIONAL,        -- Need OR
tdd-Config-v1430        TDD-Config-v1430                                      OPTIONAL,          -- Cond TDD-OR
cellAccessRelatedInfoList-r14          SEQUENCE (SIZE (1..maxPLMN-1-r14)) OF       CellAccessRelatedInfo-r14    OPTIONAL,      -- Need OR
nonCriticalExtension                          SystemInformationBlockType1-v1450-IEs                          OPTIONAL
}
【００８９】
例2: 5GCではなくEPCによるeCallをサポートするE-UTRANは、EPC及び5GCによるIMSを介したeCallのサポートのための両方のビットをブロードキャストする。
SystemInformationBlockType1-v1430-IEs ::=SEQUENCE {
eCallOverIMS-Support-r14                    ENUMERATED {true}                          OPTIONAL,        -- Need OR
eCallOverIMS-Support-r14-5GC            ENUMERATED {false}                            OPTIONAL,        -- Need
tdd-Config-v1430        TDD-Config-v1430                                      OPTIONAL,          -- Cond TDD-OR
cellAccessRelatedInfoList-r14          SEQUENCE (SIZE (1..maxPLMN-1-r14)) OF       CellAccessRelatedInfo-r14    OPTIONAL,      -- Need OR
nonCriticalExtension              SystemInformationBlockType1-v1450-IEs  OPTIONAL
}
【００９０】
例3: EPCではなく5GCによるeCallをサポートするE-UTRANは、5GCビットのIMSを介したeCallサポートのみをブロードキャストする。
SystemInformationBlockType1-v1430-IEs ::=SEQUENCE {
eCallOverIMS-Support-5GC                ENUMERATED {true}                            OPTIONAL,        -- Need OR
tdd-Config-v1430        TDD-Config-v1430                                  OPTIONAL,-- Cond TDD-OR
cellAccessRelatedInfoList-r14          SEQUENCE (SIZE (1..maxPLMN-1-r14)) OF                             CellAccessRelatedInfo-r14              OPTIONAL,-- Need OR
nonCriticalExtension              SystemInformationBlockType1-v1450-IEs  OPTIONAL
}
【００９１】
例4: EPCではなく5GCによるeCallをサポートするE-UTRANは、EPC及び5GCによるIMSを介したeCallのサポートのための両方のビットをブロードキャストする。
SystemInformationBlockType1-v1430-IEs ::=SEQUENCE {
eCallOverIMS-Support-r14                ENUMERATED {false}                              OPTIONAL,        -- Need OR
eCallOverIMS-Support-r14-5GC            ENUMERATED {true}                              OPTIONAL,        -- Need
tdd-Config-v1430        TDD-Config-v1430                                  OPTIONAL,-- Cond TDD-OR
cellAccessRelatedInfoList-r14          SEQUENCE (SIZE (1..maxPLMN-1-r14)) OF                             CellAccessRelatedInfo-r14              OPTIONAL,-- Need OR
nonCriticalExtension              SystemInformationBlockType1-v1450-Ies  OPTIONAL
}
【００９２】
例5: 5GCおよびEPCの両方によるeCallをサポートするE-UTRANは、EPCおよび5GCによるIMSを介したeCallのサポートのために両方のビットをブロードキャストする。
SystemInformationBlockType1-v1430-IEs ::=SEQUENCE {
eCallOverIMS-Support-r14                ENUMERATED {true}                              OPTIONAL,        -- Need OR
eCallOverIMS-Support-r14-5GC            ENUMERATED {true}                              OPTIONAL,        -- Need
tdd-Config-v1430        TDD-Config-v1430                                  OPTIONAL,-- Cond TDD-OR
cellAccessRelatedInfoList-r14          SEQUENCE (SIZE (1..maxPLMN-1-r14)) OF                             CellAccessRelatedInfo-r14              OPTIONAL,-- Need OR
nonCriticalExtension              SystemInformationBlockType1-v1450-IEs  OPTIONAL
}
【００９３】
実施の形態3(問題事象3の解決策3):
EPCと5GC両方に接続するE-UTRAN (ng-eNB) は、5GCのeDRXのサポートを示すあるインジケーターと、EPCのeDRXのサポートを示す他のインジケーターとをブロードキャストする。E-UTRANが5GCに接続され、セル（つまり:E-UTRAN）が5GCのeDRXのサポートを示す場合、UEはシステム情報から5GCのeDRXサポートインジケーターを読み出し、かつ、セルにおけるeDRX機能を使用し、それ以外の場合、E-UTRANが5GCに接続されている場合でも、UEはセルにおいてeDRXを使用しない。同様に、セル(つまり:E-UTRAN)は、EPCのeDRXのサポートを示すインジケーターをブロードキャストする。インジケーターがEPCのeDRXのサポートをを示す場合は、UEはセルにおいてEPCのeDRXを使用し、それ以外の場合は、E-UTRANがEPCに接続されている場合でも、UEは、EPCのeDRXを使用しない。一例として、5GCにおけるeDRXサポートのインジケーターがセルにおいてブロードキャストされていない場合、UEはセルが5GCのeDRXをサポートしていないと判定する。UEはセルにおいてEPCにおけるeDRXをサポートする際の挙動と同じ挙動に従う。一例として、SystemInformationBlockType1の現在のパラメータeDRX-AllowedがEPCのeDRXサポートに使用される。
【００９４】
解決策3の原理は解決策1の原理と同じである。解決策3のUEおよびネットワーク動作(5GC)は、解決策1のUEおよびネットワーク動作に従う。  
【００９５】
他の実施の形態
実施の形態１は、EPC、5GC、またはEPC及び5GCの両方によるIMS緊急サービスのサポートを示すための少なくとも一つのインジケーターを説明している。また、実施の形態２は、EPC、5GC、またはEPC及び5GCの両方によるIMSを介したeCallのサポートを示すための少なくとも一つのインジケーターを説明している。さらに、実施の形態３は、EPC、5GC、またはEPC及び5GCの両方によるeDRXのサポートを示すための少なくとも一つのインジケーターを説明している。他の実施の形態は、実施の形態１、実施の形態２、及び実施の形態３を組み合わせることができる。これは、E-UTRANによってブロードキャストされるシステム情報が、以下のうちの少なくとも2つを含むことができることを意味する。
【００９６】
・EPC、5GC、またはEPC及び5GCの両方による緊急サービスのサポートを示すための少なくとも一つのインジケーター
・EPC、5GC、またはEPC及び5GCの両方によるIMSを介したeCallのサポートを示すための少なくとも一つのインジケーター
かつ
・EPC、5GC、またはEPC及び5GCの両方によるeDRXのサポートを示すための少なくとも一つのインジケーター。
【００９７】
少なくとも2つのパラメータは、次のことを意味する。
・EPC、5GC、またはEPC及び5GCの両方による緊急サービスのサポートを示すための少なくとも一つのインジケーター、及び、EPC、5GC、またはEPC及び5GCの両方によるIMSを介したeCallのサポートを示すための少なくとも一つのインジケーター
・EPC、5GC、またはEPC及び5GCの両方によるIMSを介したeCallのサポートを示すための少なくとも一つのインジケーター、及び、EPC、5GC、またはEPC及び5GCの両方によるeDRXのサポートを示すための少なくとも一つのインジケーター
・EPC、5GC、またはEPC及び5GCの両方による緊急サービスのサポートを示すための少なくとも一つのインジケーター、及び、EPC、5GC、またはEPC及び5GCの両方によるeDRXのサポートを示すための少なくとも一つのインジケーター
・EPC、5GC、またはEPC及び5GCの両方による緊急サービスのサポートを示すための少なくとも一つのインジケーター、EPC、5GC、またはEPC及び5GCの両方によるIMSを介したeCallのサポートを示すための少なくとも一つのインジケーター、及び、EPC、5GC、またはEPC及び5GCの両方によるeDRXのサポートを示すための少なくとも一つのインジケーター。
【００９８】
「UE」という用語は、一般に、移動局（mobile station）、移動装置（mobile device）、無線装置（wireless device）という用語と同義であることを意図しており、端末、携帯電話、スマートフォン、タブレット、セルラIoT装置、IoT装置、機械などのスタンドアロン移動局を含む。「UE」という用語は、3GPPで使用されるUEでもある。
【００９９】
UEとは、生産設備、エネルギー関連機械(例えば、ボイラー、エンジン、タービン、ソーラーパネル、風力発電機、水力発電機、火力発電機、原子力発電機、蓄電池、原子力システム・設備、重電機器、ポンプ、圧縮機、真空ポンプ、ファン、送風機、油圧機器、空気圧機器、金属加工機械、マニピュレータ、ロボットとその応用システム、工具、金型、ロール、搬送、昇降機、貨物取扱設備とその応用システム、繊維機械、縫製機械、印刷機、印刷関連機械、紙加工機械、化学機械、鉱山・建設機械、農業機械及び器具、林業機械及び器具、漁業用機械及び器具、安全及び環境保全装置、トラクター、建設機械、精密ベアリング、チェーン、歯車（ギアー）、動力電動装置、潤滑装置、バルブ、管継手など)であってもよい。
【０１００】
UEは、輸送装置 (例えば、車両、自動車、二輪自動車、自転車、列車、バス、カート、人力車、船舶（ship and watercraft）、飛行機、ロケット、人工衛星、ドローン、気球等であってもよい。
【０１０１】
UEは情報通信機器 (電子計算機及び関連機器、通信装置及び関連機器、電子部品等)であってもよい。
【０１０２】
UEは、冷凍機、冷凍機応用製品、商業およびサービス用機器、自動販売機、自動サービス機、事務用機器および装置、民生用電機および電子機器(オーディオ機器、ビデオ機器、スピーカー、ラジオ、テレビ、電子レンジ、炊飯器、コーヒーメーカー、食器洗い機、洗濯機、乾燥機、電子扇風機及び関連機器、掃除機等)であってもよい。
【０１０３】
UEは、電子応用システム(例えば、X線装置、粒子加速器、放射性物質応用装置、音波応用装置、電磁応用装置、電力応用装置等)であってもよい。
【０１０４】
UEは、電球、照明、計量機、分析機器、試験機及び計測機械(例えば、煙報知機、対人警報センサ、モーションセンサー、無線タグ等)、時計、理化学機器、光学装置、医療機器及びシステム、武器、利器工匠具、手工具であってもよい。
【０１０５】
UEは、例えば、無線通信機能を備えたパーソナルデジタルアシスタントまたは装置（一例として、無線カードや無線モジュール）などを取り付けられる、もしくは挿入するよう構成された電子装置（例えば、パーソナルコンピュータや電子計測器など）であっても良い。
【０１０６】
またUEは、例えば、有線や無線通信技術を使用した「あらゆるモノのインターネット（IoT：Internet of Things）」において、以下のアプリケーション、サービス、ソリューションを提供する装置またはその一部であっても良い。
【０１０７】
アプリケーション、サービス、ソリューションは、一例として、MVNO（Mobile Virtual Network Operator：仮想移動体通信事業者）サービス/システム、防災無線サービス/システム、構内無線電話（PBX（Private Branch eXchange：構内交換機））サービス/システム、PHS/デジタルコードレス電話サービス/システム、POS（Point of sale）システム、広告発信サービス/システム、マルチキャスト（MBMS（Multimedia Broadcast and Multicast Service））サービス/システム、V2X（Vehicle to Everything：車車間通信および路車間・歩車間通信）サービス/システム、列車内移動無線サービス/システム、位置情報関連サービス/システム、災害/緊急時無線通信サービス/システム、IoT（Internet of Things：モノのインターネット）サービス/システム、コミュニティーサービス/システム、映像配信サービス/システム、Femtoセル応用サービス/システム、VoLTE（Voice over LTE）サービス/システム、無線TAGサービス/システム、課金サービス/システム、ラジオオンデマンドサービス/システム、ローミングサービス/システム、ユーザ行動監視サービス/システム、通信キャリア/通信NW選択サービス/システム、機能制限サービス/システム、PoC（Proof of Concept）サービス/システム、端末向け個人情報管理サービス/システム、端末向け表示・映像サービス/システム、端末向け非通信サービス/システム、アドホックNW/DTN（Delay Tolerant Networking）サービス/システムなどであっても良い。
【０１０８】
また、上述したUEは発明者によって得られた技術思想の応用例に過ぎない。言うまでもなく、これらの技術思想は上述したUEに限定されるものではなく、種々の変更が可能である。
【０１０９】
AS(Access Stratum)レイヤには、RRCレイヤ、SADPレイヤ、PDCPレイヤ、RLCレイヤ、MACレイヤおよびPHYレイヤを含んでもよい。
【０１１０】
NG-RANには、5GCおよびgNBと接続されたeNB (evolved E-UTRAN)を含んでもよい。
【０１１１】
NAS(Non Access Stratum)レイヤは、EMM (EPS Mobility Management)およびESM (EPS Session Management)を含んでもよい。
【０１１２】
UEは、NAS レイヤに対して二つのエンティティを有してもよい。一つはEPC NASレイヤに関するものである。他のエンティティは5GC NAS レイヤに関する物である。したがって、上記実施の形態では、UEは、EPCによる緊急サービスのサポートに関連して受信したインジケーター(例:ims-EmergencySupport-r9は「TRUE」に設定される。)を、上位レイヤであるEPC NASレイヤに関するエンティティに転送してもよい。同様に、上記実施の形態では、UEは、5GCによる緊急サービスのサポートに関連して受信したインジケーター (例:ims-EmergencySupport-5GC-r15は「TRUE」に設定される。)を、上位レイヤである5GC NASレイヤに関するエンティティに転送してもよい。 
【０１１３】
ユーザ機器 (UE)
図4は、UEの主要構成要素を示すブロック図である。図示のように、UE(100)は、1つ以上のアンテナ(104)を介して、接続されたノードに信号を送信し、かつ、ノードから信号を受信するように動作可能なトランシーバ回路 (103)を含む。必ずしも図4に示されていないが、UEは当然ながら一般的なモバイル装置のすべての通常の機能(ユーザーインターフェース（102）など)を有し、これは、ハードウェア、ソフトウェアおよびファームウェアの任意の1つまたは任意の組み合わせによって適切に提供され得る。ソフトウェアは、例えば、メモリにプリインストールされていてもよく、および/または、電気通信ネットワークを介して、またはremovable data storage device(RMD)からダウンロードされてもよい。
【０１１４】
コントローラは、メモリ(105)に記憶されたソフトウェアに従ってUEの動作を制御する(101)。ソフトウェアは、とりわけ、オペレーティングシステムと、少なくともトランシーバ制御モジュール(107)を有する通信制御モジュール(106)とを含む。通信制御モジュール(106)(トランシーバ制御サブモジュールの使用)は、UEと他のノード、例えば基地局/(R)ANノード、MME、AMF (その他のコアネットワークノード)との間のシグナリングおよびアップリンク/ダウンリンクデータパケットの処理 (生成/送信/受信)を担当する。このようなシグナリングは、例えば、接続確立および維持(例えばRRC接続確立および他のRRCメッセージ)、周期的位置更新関連メッセージ (例えば、tracking area update、ページングエリア更新、ロケーションエリア更新) などに関連する適切にフォーマットされたシグナリングメッセージを含み得る。このようなシグナリングは、例えば、受信ケースにおけるブロードキャスト情報(例えばマスター情報やシステム情報など)も含み得る。
【０１１５】
(R)ANノード
図5は、例示的な (R)ANノード(200)の主要構成要素を示すブロック図である。（R）ANノード(200)は、3GPPアクセスノード及び非3GPPアクセスノードを含む。3GPPアクセスノードは、基地局(例えばLTEでは「eNB」、5Gでは「gNB」)であってもよい。図示されるように、 (R)ANノード(200)は、1つ以上のアンテナ(204)を介して接続されたUEと信号を送受信し、ネットワークインターフェース(202)を介して他のネットワークノードと信号を(直接的または間接的に)送受信するように動作可能なトランシーバ回路(203)を含む。コントローラ(201)は、メモリ(205)に記憶されたソフトウェアに従って、 (R)ANノードの動作を制御する。ソフトウェアは、例えば、メモリにプリインストールされていてもよく、および/または、電気通信ネットワークを介して、またはremovable data storage device(RMD)からダウンロードされてもよい。ソフトウェアは、とりわけ、オペレーティングシステムと、少なくともトランシーバ制御モジュール (207)を有する通信制御モジュール(206)とを含む。
【０１１６】
通信制御モジュール (206)(トランシーバ制御サブモジュールの使用) は、 (R)ANノードと、UE、MME、AMFなどの他のノードとの間の(例えば直接的または間接的な)シグナリングの処理(生成/送信/受信)を担当する。シグナリングは、例えば、無線接続およびロケーション手順(特定のUEに対して)、特に、接続確立および維持(例えば、RRC接続確立および他のRRCメッセージ)、周期的ロケーション更新関連メッセージ (例えば、tracking area update、ページングエリア更新、ロケーションエリア更新)、S1APメッセージおよびNG APメッセージ(つまりN2 reference pointによるメッセージ)、Y2 reference pointによるメッセージなどに関連する適切にフォーマットされたシグナリングメッセージを含んでもよい。このようなシグナリングは、例えば、送信ケースにおけるブロードキャスト情報 (例えば、マスター情報やシステム情報など)も含んでもよい。
【０１１７】
コントローラはまた、搭載されると、UE移動推定および/または移動軌道推定などの関連タスクを(ソフトウェアまたはハードウェアによって)処理するように構成される。
【０１１８】
AMF
図6は、AMF(300)の主要構成要素を示すブロック図である。AMF(300)は5GCに含まれている。図示されるように、AMF(300)は、ネットワークインターフェース(302)を介して他のノード(UEを含む)と信号を送受信するように動作可能なトランシーバ回路(303)を含む。コントローラ(301)は、メモリ(304)に記憶されたソフトウェアに従ってAMF(300)の動作を制御する。ソフトウェアは、メモリ(304)にプリインストールされていてもよく、および/または、例えば、電気通信ネットワークを介して、またはremovable data storage device(RMD)からダウンロードされてもよい。ソフトウェアは、とりわけ、オペレーティングシステムと、少なくともトランシーバ制御モジュール(306)を有する通信制御モジュール (305) とを含む。
【０１１９】
通信制御モジュール (トランシーバ制御サブモジュールの使用)は、AMFと、UE、基地局/(R)ANノード(例えば「EUTRAN Node」または「eNB」)などの他のノードとの間の(直接的または間接的な)シグナリングの処理(生成/送信/受信)を担当する。このようなシグナリングは、例えば、NASメッセージをUEとの間で搬送するために、本明細書に記載される手順に関連する適切にフォーマットされたシグナリングメッセージ、例えばNG APメッセージ (つまり、N2 reference pointによるメッセージ)を含んでもよい。
【０１２０】
MME
図7は、MME(400)の主要構成要素を示すブロック図である。MME(400)はEPCに含まれている。図示されるように、MME(400)は、ネットワークインターフェース(402)を介して他のノード(UEを含む)と信号を送受信するように動作可能なトランシーバ回路(403)を含む。コントローラ(401)は、メモリ(404)に記憶されたソフトウェアに従ってMME(400)の動作を制御する。ソフトウェアは、メモリ(404)にプリインストールされていてもよく、および/または、例えば、電気通信ネットワークを介して、またはremovable data storage device(RMD)からダウンロードされてもよい。ソフトウェアは、とりわけ、オペレーティングシステムと、少なくともトランシーバ制御モジュール(406)を有する通信制御モジュール (405) とを含む。
【０１２１】
通信制御モジュール (トランシーバ制御サブモジュールの使用)は、MMEと、UE、基地局/(R)ANノード(例えば「EUTRAN Node」または「eNB」)などの他のノードとの間の(直接的または間接的な)シグナリングの処理(生成/送信/受信)を担当する。このようなシグナリングは、例えば、NASメッセージをUEとの間で搬送するために、本明細書に記載される手順に関連する適切にフォーマットされたシグナリングメッセージ、例えばS1 APメッセージを含んでもよい。
【０１２２】
本出願は、2018年3月28日に出願されたインド特許出願第201811011621号に基づく優先権の利益を主張するものであり、その開示は参照によりその全体が本明細書に組み込まれる。
【符号の説明】
【０１２３】
100 UE
101コントローラ
102ユーザー・インタフェース
103トランシーバ回路
104アンテナ
105メモリ
106制御モジュール
107トランシーバ制御モジュール
200 (R) ANノード
201コントローラ
202ネットワーク・インタフェース
203トランシーバ回路
204アンテナ
205メモリ
206通信制御モジュール
207トランシーバ制御モジュール
300 AMF
301コントローラ
302ネットワーク・インタフェース
303トランシーバ回路
304メモリ
305通信制御モジュール
306トランシーバ制御モジュール
400MME
401コントローラ
402ネットワーク・インタフェース
403トランシーバ回路
404メモリ
405通信制御モジュール
406トランシーバ制御モジュール
【図１】
2021510046.tif 000003
【図２Ａ】
2021510046.tif 000004
【図２Ｂ】
2021510046.tif 000005
【図３Ａ】
2021510046.tif 000006
【図３Ｂ】
2021510046.tif 000007
【図４】
2021510046.tif 000008
【図５】
2021510046.tif 000009
【図６】
2021510046.tif 000010
【図７】
2021510046.tif 000011
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
EPC(Evolved Packet Core)及び5GC（5th Generation Core）の両方に接続される無線アクセスネットワークノードによって制御されるセルにおいてブロードキャストされるsystem information block type 1メッセージを受信し、
前記system information block type 1メッセージは、
前記セルが制限されたサービス状態（limited service state）におけるユーザ装置のためのEPCを介したIMS（Internet Protocol Multimedia Subsystem）緊急サービスをサポートすることを示すims-EmergencySupport information、及び、
前記セルが制限されたサービス状態におけるユーザ装置のための5GCを介したIMS緊急サービスをサポートすることを示すims-EmergencySupport5GC information、の少なくとも一つを含み、
前記ims-EmergencySupport informationがsystem information block type 1メッセージに存在するか否か、及び、
前記ims-EmergencySupport5GC informationがsystem information block type 1メッセージに存在するか否か、
の両方に基づいて、前記セルが前記EPC及び前記5GCの少なくとも一つを介してIMS緊急サービスをサポートすることを決定し、
前記セルが前記EPCを介したIMS緊急サービスをサポートし、前記セルが前記5GCを介したIMS緊急サービスをサポートしない場合、前記EPCに対するIMS緊急サービスを開始し、
前記セルが前記5GCを介したIMS緊急サービスをサポートし、前記セルが前記EPCを介したIMS緊急サービスをサポートしない場合、前記5GCに対するIMS緊急サービスを開始し、もしくは、
前記セルが前記EPC及び前記5GCを介したIMS緊急サービスをサポートする場合、前記EPCまたは前記5GCのいずれかに対するIMS緊急サービスを開始し、
前記EPCに対するIMS緊急サービスを開始することは、前記ユーザ装置が前記5GCにおける前記IMS緊急サービスが失敗したと判定すると実行される、ユーザ装置のための方法。
【請求項２】
トランシーバとコントローラとを備えるユーザ装置であって、
前記コントローラは、
EPC(Evolved Packet Core)及び5GC（5th Generation Core）の両方に接続される無線アクセスネットワークノードによって制御されるセルにおいてブロードキャストされるsystem information block type 1メッセージを受信し、
前記system information block type 1メッセージは、
前記セルが制限されたサービス状態（limited service state）におけるユーザ装置のためのEPCを介したIMS（Internet Protocol Multimedia Subsystem）緊急サービスをサポートすることを示すims-EmergencySupport information、及び、
前記セルが制限されたサービス状態におけるユーザ装置のための5GCを介したIMS緊急サービスをサポートすることを示すims-EmergencySupport5GC information、の少なくとも一つを含み、
前記ims-EmergencySupport informationがsystem information block type 1メッセージに存在するか否か、及び、
前記ims-EmergencySupport informationがsystem information block type 1メッセージに存在するか否か、
の両方に基づいて、前記セルが前記EPC及び前記5GCの少なくとも一つを介してIMS緊急サービスをサポートすることを決定し、
前記セルが前記EPCを介したIMS緊急サービスをサポートし、前記セルが前記5GCを介したIMS緊急サービスをサポートしない場合、前記EPCに対するIMS緊急サービスを開始し、
前記セルが前記5GCを介したIMS緊急サービスをサポートし、前記セルが前記EPCを介したIMS緊急サービスをサポートしない場合、前記5GCに対するIMS緊急サービスを開始し、もしくは、
前記セルが前記EPC及び前記5GCを介したIMS緊急サービスをサポートする場合、前記EPCまたは前記5GCのいずれかに対するIMS緊急サービスを開始するように構成され、
前記EPCに対するIMS緊急サービスを開始することは、前記ユーザ装置が前記5GCにおける前記IMS緊急サービスが失敗したと判定すると実行される、ユーザ装置。
【手続補正３】
【補正対象書類名】明細書
【補正対象項目名】００４４
【補正方法】変更
【補正の内容】
【００４４】
上記の場合、UEはNAS手順をEPCまたは5GCに対して開始して、E-UTRANセルにおける制限されたサービス状態でのIMS緊急サービスを受ける。このフロー(図2Aおよび2B)は、UEがEPCに対してNAS手順を開始する場合を示す。UEは上位レイヤ (例:NASレイヤ)から緊急サービスを開始するための要求を受信すると、EPS緊急attachに設定されたEPS attach typeを含むATTACH REQUESTメッセージを送信することによってEPCに対してIMS緊急サービスを開始する(3-3a)。EPCに対するattach手順が失敗すると、UEは他のコアネットワークタイプ（例:5GC）に対するregistration手順を開始しうる。 
3-4. 以下の条件を満たす場合、UEは、E-UTRANセルが5GC及びEPCの両方によるIMS緊急サービスをサポートしていると判定する。
【手続補正４】
【補正対象書類名】明細書
【補正対象項目名】００４６
【補正方法】変更
【補正の内容】
【００４６】
上記の場合、UEはNAS手順をEPCまたは5GCに対して開始して、E-UTRANセルにおける制限されたサービス状態でのIMS緊急サービスを受ける。このフロー(図2Aおよび2B)は、UEが5GCに対してNAS手順を開始する場合を示す。上位レイヤ(例:NASレイヤ)から緊急サービスを開始するための要求を受信すると、UEは、5GS緊急registrationに設定された5GS registration typeを含むRegistration Requestメッセージを送信することによって、5GCに対するIMS緊急サービスを開始する（3-4a）。5GCへのregistration手順が失敗した場合、UEは他のコアネットワークタイプ（例:EPC）へのattach手順を開始しうる。
【手続補正５】
【補正対象書類名】明細書
【補正対象項目名】００８１
【補正方法】変更
【補正の内容】
【００８１】
(3-3a) UEがNAS手順をEPCまたは5GCに対して開始し、E-UTRANセルで制限されたサービス状態におけるIMSを介したeCallを受ける。この流れ(図3A及び図3B)は、UEがEPCに対してNAS手順を開始するケースを示す。EPCに対する緊急attach手順が失敗した場合、UEは緊急registration手順を他のコアネットワークタイプ(例:5GC)に対して開始しうる。
【手続補正６】
【補正対象書類名】明細書
【補正対象項目名】００８２
【補正方法】変更
【補正の内容】
【００８２】
(3-3b) UEがNAS手順をEPCまたは5GCに対して開始し、E-UTRANセルで通常のサービス状態におけるIMSを介したeCallを受ける。この流れ(図3A及び図3B)は、UEがEPCに対してNAS手順を開始するケースを示す。EPCに対するattach手順が失敗した場合、UEは5GS registration手順を他のコアネットワークタイプ(例:5GC)に対して開始しうる。
【手続補正７】
【補正対象書類名】明細書
【補正対象項目名】００８５
【補正方法】変更
【補正の内容】
【００８５】
(3-4a) UEがNAS手順をEPCまたは5GCに対して開始し、E-UTRANセルで制限されたサービス状態におけるIMSを介したeCallを受ける。この流れ(図3A及び図3B)は、UEが5GCへのNAS手順を開始するケースを示す。5GCに対する緊急registration手順が失敗した場合、UEは他のコアネットワークタイプ(例:EPC)に対する緊急attach手順を開始しうる。
【手続補正８】
【補正対象書類名】明細書
【補正対象項目名】００８６
【補正方法】変更
【補正の内容】
【００８６】
(3-4b) UEは、NAS手順をEPCまたは5GCに対して開始し、E-UTRANセルで通常のサービス状態におけるIMSを介したeCallを受ける。この流れ(図3A及び図3B)は、UEが5GCに対してNAS手順を開始するケースを示す。5GCに対する5GS registration手順が失敗した場合、UEは他のコアネットワークタイプ（例:EPC）に対するattach手順を開始しうる。
【手続補正９】
【補正対象書類名】明細書
【補正対象項目名】０１１３
【補正方法】変更
【補正の内容】
【０１１３】
ユーザ機器 (UE)
図4は、UEの主要構成要素を示すブロック図である。図示のように、UEは、1つ以上のアンテナ(104)を介して、接続されたノードに信号を送信し、かつ、ノードから信号を受信するように動作可能なトランシーバ回路 (103)を含む。必ずしも図4に示されていないが、UEは当然ながら一般的なモバイル装置のすべての通常の機能(ユーザーインターフェース（102）など)を有し、これは、ハードウェア、ソフトウェアおよびファームウェアの任意の1つまたは任意の組み合わせによって適切に提供され得る。ソフトウェアは、例えば、メモリにプリインストールされていてもよく、および/または、電気通信ネットワークを介して、またはremovable data storage device(RMD)からダウンロードされてもよい。
【手続補正１０】
【補正対象書類名】明細書
【補正対象項目名】０１１５
【補正方法】変更
【補正の内容】
【０１１５】
(R)ANノード
図5は、例示的な (R)ANノードの主要構成要素を示すブロック図である。（R）ANノードは、3GPPアクセスノード及び非3GPPアクセスノードを含む。3GPPアクセスノードは、基地局(例えばLTEでは「eNB」、5Gでは「gNB」)であってもよい。図示されるように、 (R)ANノードは、1つ以上のアンテナ(204)を介して接続されたUEと信号を送受信し、ネットワークインターフェース(202)を介して他のネットワークノードと信号を(直接的または間接的に)送受信するように動作可能なトランシーバ回路(203)を含む。コントローラ(201)は、メモリ(205)に記憶されたソフトウェアに従って、 (R)ANノードの動作を制御する。ソフトウェアは、例えば、メモリにプリインストールされていてもよく、および/または、電気通信ネットワークを介して、またはremovable data storage device(RMD)からダウンロードされてもよい。ソフトウェアは、とりわけ、オペレーティングシステムと、少なくともトランシーバ制御モジュール (207)を有する通信制御モジュール(206)とを含む。
【手続補正１１】
【補正対象書類名】明細書
【補正対象項目名】０１１８
【補正方法】変更
【補正の内容】
【０１１８】
AMF
図6は、AMFの主要構成要素を示すブロック図である。AMFは5GCに含まれている。図示されるように、AMFは、ネットワークインターフェース(302)を介して他のノード(UEを含む)と信号を送受信するように動作可能なトランシーバ回路(303)を含む。コントローラ(301)は、メモリ(304)に記憶されたソフトウェアに従ってAMFの動作を制御する。ソフトウェアは、メモリ(304)にプリインストールされていてもよく、および/または、例えば、電気通信ネットワークを介して、またはremovable data storage device(RMD)からダウンロードされてもよい。ソフトウェアは、とりわけ、オペレーティングシステムと、少なくともトランシーバ制御モジュール(306)を有する通信制御モジュール (305) とを含む。
【手続補正１２】
【補正対象書類名】明細書
【補正対象項目名】０１２０
【補正方法】変更
【補正の内容】
【０１２０】
MME
図7は、MMEの主要構成要素を示すブロック図である。MMEはEPCに含まれている。図示されるように、MMEは、ネットワークインターフェース(402)を介して他のノード(UEを含む)と信号を送受信するように動作可能なトランシーバ回路(403)を含む。コントローラ(401)は、メモリ(404)に記憶されたソフトウェアに従ってMMEの動作を制御する。ソフトウェアは、メモリ(404)にプリインストールされていてもよく、および/または、例えば、電気通信ネットワークを介して、またはremovable data storage device(RMD)からダウンロードされてもよい。ソフトウェアは、とりわけ、オペレーティングシステムと、少なくともトランシーバ制御モジュール(406)を有する通信制御モジュール (405) とを含む。
【手続補正１３】
【補正対象書類名】明細書
【補正対象項目名】０１２３
【補正方法】変更
【補正の内容】
【０１２３】
101コントローラ
102ユーザー・インタフェース
103トランシーバ回路
104アンテナ
105メモリ
106通信制御モジュール
107トランシーバ制御モジュール
201コントローラ
202ネットワーク・インタフェース
203トランシーバ回路
204アンテナ
205メモリ
206通信制御モジュール
207トランシーバ制御モジュール
301コントローラ
302ネットワーク・インタフェース
303トランシーバ回路
304メモリ
305通信制御モジュール
306トランシーバ制御モジュール
401コントローラ
402ネットワーク・インタフェース
403トランシーバ回路
404メモリ
405通信制御モジュール
406トランシーバ制御モジュール
【国際調査報告】
2021510046.tif 000012
2021510046.tif 000013